(57)【特許請求の範囲】
【請求項１】
上面および両側面の少なくとも上面に凹凸模様が形成された電子楽器の鍵において、
前記凹凸模様を、
前記鍵の長手方向に延びる複数の凹部からなる線状部と、前記鍵の長手方向に延びる複数の凸部からなる線状部との少なくとも一方の複数の線状部からなり、前記線状部間の所定部分に互いの間隔が広くなった広間隔部が形成されるとともに前記広間隔部の周囲に互いの間隔が狭くなった狭間隔部が形成された柾目状部と、
環状の凹部からなる線状部または環状の凸部からなる線状部からなり前記広間隔部内に形成された環状部と、
複数の小凹部または複数の小凸部からなり前記環状部の内部に形成された節目模様部と
で構成したことを特徴とする電子楽器の鍵。
【発明の詳細な説明】
【技術分野】
【０００１】
本発明は、表面に凹凸模様が形成された電子楽器の鍵に関する。
【背景技術】
【０００２】
従来から、電子楽器が備える鍵の中には、美観の向上を図るために、象牙模様や木目模様等の凹凸模様を視認可能にしたものがある（例えば、特許文献１参照）。この鍵は、白鍵の形をした合成樹脂製のキー本体の上に、半透明の合成樹脂部材からなるキートップ部材を接着剤層で接着固定して構成されており、キートップ部材の裏面には、複数の凹溝および突条部が一体に形成されている。これに対して、接着剤層の上面には、複数の突条部および谷部が一体に形成されている。このため、鍵の上面に照射される光の一部は、キートップ部材の内部を通過してキートップ部材と接着剤層との接触面で反射し、再びキートップ部材の内部を通過して外部に放たれる。このとき、ユーザには、キートップ部材と接着剤層とに形成される凹凸の形状に応じて縞模様、波形模様または木目模様が見える。
【先行技術文献】
【特許文献】
【０００３】
【特許文献１】特開２００９−２３７４５３号公報
【発明の概要】
【０００４】
しかしながら、前述した従来の鍵では、凹凸模様を視認可能であるが、鍵の表面が平滑面で構成されているため、触覚で凹凸を感じとることができず、視覚と触覚との間に差が出て違和感が生じる。また、前述した従来の鍵に用いられている木目模様は、複数の輪からなる年輪を表しているもので、細長い鍵に用いる凹凸模様としてふさわしいものではなかった。
【０００５】
本発明は、前述した問題に対処するためになされたもので、その目的は、視覚および触覚の双方で、凹凸やその変化を感じとることができ、かつ鍵に適した木目模様を備えた電子楽器の鍵を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【００１６】
本発明に係る電子楽器の鍵の構成上の特徴は、上面（４１）および両側面（４３）の少なくとも上面に凹凸模様が形成された電子楽器の鍵（４０）において、凹凸模様を、鍵の長手方向に延びる複数の凹部からなる線状部と、鍵の長手方向に延びる複数の凸部からなる線状部（４４ａ）との少なくとも一方の複数の線状部からなり、線状部間の所定部分に互いの間隔が広くなった広間隔部（４５ａ）が形成されるとともに広間隔部の周囲に互いの間隔が狭くなった狭間隔部（４５ｂ）が形成された柾目状部と、環状の凹部からなる線状部または環状の凸部からなる線状部からなり広間隔部内に形成された環状部（４４ｂ）と、複数の小凹部または複数の小凸部からなり環状部の内部に形成された節目模様部（４４ｃ）とで構成したことにある。
【００１７】
本発明に係る電子楽器の鍵では、複数の凹部からなる線状部や複数の凸部からなる線状部で構成される柾目状部で目曲がりの風合いを表現でき、環状の凹部からなる線状部または環状の凸部からなる線状部で構成される環状部と、その内部に形成された小凹部や小凸部からなる節目模様部で節目の風合いを表現できる。これによると、凹凸模様が形成される鍵の面における各部分を異なる凹凸模様にすることができるため、変化に富む凹凸模様を備えた電子楽器の鍵を得ることができる。
【図面の簡単な説明】
【００１８】
【図１】本発明の第１実施形態に係る白鍵を示した斜視図である。
【図２】図１に示した白鍵に形成された凹凸模様を示した拡大図である。
【図３】本発明の第２実施形態に係る白鍵を示した斜視図である。
【図４】図３に示した白鍵に形成された凹凸模様を示した拡大図である。
【図５】本発明の第３実施形態に係る白鍵を示した斜視図である。
【図６】図５に示した白鍵に形成された凹凸模様を示した拡大図である。
【図７】本発明の第４実施形態に係る白鍵を示した斜視図である。
【図８】図７に示した白鍵に形成された凹凸模様を示した拡大図である。
【発明を実施するための形態】
【００１９】
（第１実施形態）
以下、本発明の第１実施形態に係る電子楽器の鍵を図面を用いて説明する。図１は、同実施形態に係る白鍵１０を示している。この白鍵１０は、電子楽器（図示せず）の上面における手前側（演奏者側）に黒鍵とともに複数個並べられるもので、それぞれ長手方向を前後に向けて設置される。この白鍵１０は、硬質の合成樹脂を一体成形することにより形成されており、上面部１１と、前面部１２と、左右一対の側面部１３（一方しか図示せず）とで構成されている。上面部１１の左側部の後部側には黒鍵を配置するための切り欠き凹部１１ａが形成され、上面部１１の上面後端には、前部側よりも低くなった段部１１ｂが形成されている。この段部１１ｂは、白鍵１０を電子楽器の本体に揺動可能に支持させる際に用いられる。なお、前記切り欠き凹部１１ａの位置は鍵盤における白鍵が割り当てられる位置によって異り、黒鍵に隣接しない白鍵には切り欠き凹部は設けられていない。
【００２０】
前面部１２は、上面部１１の先端縁部よりも僅かに後方部分から下方に延びる略正方形の板状部分で構成されている。左右一対の側面部１３の一方（図１の手前側に位置する側面部１３）は、Ｌ形の板状部分で構成されており、Ｌ形の長辺側の外縁部を上面部１１の右側部に沿わせ、Ｌ形の短辺側の外縁部を前面部１２の右側部に沿わせて、上面部１１と前面部１２とに一体的に組付けられている。また、他方の側面部１３は、側面視が一方の側面部１３と同じＬ形に形成されており、上縁部を上面部１１の左側部の前部側と切り欠き凹部１１ａの縁部に沿わせ、前縁部を前面部１２の左側部に沿わせた段違い状の板状部分で構成されている。
【００２１】
白鍵１０の上面部１１と一対の側面部１３との表面には、それぞれ凹凸模様１４が形成されている。この凹凸模様１４は、白鍵１０の前後方向に延びる線状凸部１４ａを左右または上下に間隔を保って複数配置することによって柾目模様に形成されている。各線状凸部１４ａは、略直線状に延びており、図２に矢印ａで示した白鍵１０の長手方向に対する角度ｂが３０度以内になる範囲で傾斜している。すなわち、上面部１１に形成された凹凸模様１４を構成する各線状凸部１４ａは、手前側（図２の左側）から見た状態で、前部よりも後部が右側に位置するように傾斜している。また、側面部１３に形成された凹凸模様１４を構成する各線状凸部１４ａは、手前側から見た状態で、前部よりも後部が下側に位置するように傾斜している。
【００２２】
各線状凸部１４ａにおける上面部１１および側面部１３の表面平坦部１５からの突出長さは、それぞれ０．０１ｍｍ〜１ｍｍ、好ましくは０．０２ｍｍ〜０．５ｍｍ、さらに好ましくは０．０５ｍｍ〜０．３ｍｍに設定され、各線状凸部１４ａの間隔は、それぞれ０．０３ｍｍ〜２２ｍｍ、好ましくは０．０５ｍｍ〜１２ｍｍ、さらに好ましくは０．０８ｍｍ〜８ｍｍに設定されている。凹凸模様１４は、このように間隔を保った複数の線状凸部１４ａで構成されているため、実際の木材の切断面に現れる柾目模様のように見える。なお、この白鍵１０を一体成形する射出成形機には、固定型と可動型とからなる金型が備わっており、金型の成形面に、凹凸模様１４に対応する凹凸模様、すなわち、凹凸模様１４と凹凸が逆になる凹凸模様が形成されている。このため、白鍵１０の成形が容易になる。
【００２３】
また、白鍵１０が備わった電子楽器を演奏する際には、まず、上面部１１に形成された凹凸模様１４が見え、押鍵操作をしたときに、隣の白鍵１０の側面部１３に形成された凹凸模様１４が見える。このため、電子楽器の美観が向上するとともに、押鍵操作の際に凹凸模様１４が変化して見えるようになり、演奏が楽しくなる。また、押鍵時に、指が上面部１１の凹凸模様１４に触れることによっても、触感に変化が生じて興趣に富むものとなる。
【００２４】
このように、本実施形態に係る白鍵１０では、上面部１１および側面部１３の表面に、複数の線状凸部１４ａからなる凹凸模様１４を形成するとともに、その複数の線状凸部１４ａを、白鍵１０の長手方向に対して３０度以内の角度で傾斜させている。このため、白鍵１０の延びる方向と、線状凸部１４ａが延びる方向とが略一致するようになり、あたかも本物の材木で鍵を構成したかのような視覚を得ることができる。また、この白鍵１０では、凹凸模様１４が白鍵１０の表面に形成されるため、視覚だけでなく、触覚においても凹凸やその変化を感じることができる。
【００２５】
なお、本実施形態では、上面部１１および一対の側面部１３のすべてに凹凸模様１４を設けているが、これは、上面部１１および一対の側面部１３のいずれか一部に設けてもよい。例えば、側面部１３だけに凹凸模様１４を設けると、演奏をしていないときには、凹凸模様１４が形成されていない白鍵を備えた電子楽器と同じ外観をしているが、演奏時にだけに凹凸模様１４が見えるようになり、面白味が一層増すようになる。また、触覚を重視する場合には、上面部１１だけに凹凸模様１４を設けてもよい。
【００２６】
また、本実施形態では、凹凸模様１４を、複数の線状凸部１４ａで構成しているが、線状凸部１４ａに代えて、溝状の線状凹部で凹凸模様を構成してもよい。さらに、凹凸模様を線状凸部１４ａと線状凹部との双方を含む形状にしてもよい。また、線状凸部１４ａは直線に限らず僅かに湾曲する曲線に形成してもよい。また、各線状凸部１４ａが白鍵１０の長手方向に対して傾く方向は、前述した方向と逆方向であってもよい。さらに、白鍵１０を成形する際に、二色の樹脂材料を用いて、白鍵１０の色が部分的に異なるようにしてもよい。例えば、薄い茶色の樹脂材料とやや濃い茶色の樹脂材料とを用いると、凹凸模様１４がより一層木材の模様に近づく。さらに、この凹凸模様１４を形成する鍵は、白鍵１０でなく、黒鍵にしてもよいし、白鍵１０と黒鍵との双方にしてもよい。
【００２７】
（第２実施形態）
図３は、本発明の第２実施形態に係る白鍵２０を示している。この白鍵２０では、上面部２１および一対の側面部２３の表面は、それぞれ平滑面で構成され、前面部２２の表面に、柾目調の凹凸模様２４が形成されている。この凹凸模様２４は、白鍵１０の上下方向に延びる線状凸部２４ａを左右に間隔を保って複数配置することによって柾目模様に形成されている。各線状凸部２４ａは、略直線状に延びており、図４に矢印ｃで示した白鍵２０の垂直方向に対する角度ｄが３０度以内になる範囲で傾斜している。また、凹凸模様２４を構成する各線状凸部２４ａは、手前側から見た状態で、下部よりも上部が右側に位置するように傾斜している。この白鍵２０のそれ以外の部分の構成については、前述した白鍵１０と同一である。したがって、同一部分に同一符号を記して説明は省略する。
【００２８】
このように、本実施形態に係る白鍵２０では、前面部２２の表面に複数の線状凸部２４ａからなる凹凸模様２４を形成するとともに、その複数の線状凸部２４ａを、白鍵２０の垂直方向に対して３０度以内の角度で傾斜させている。これによると、白鍵２０の前面部２２に、白鍵２０の前面部２２に適した柾目模様を形成することができる。すなわち、押鍵時には、白鍵２０の前面部２２は、略垂直方向に上下移動する。そして、白鍵２０の前面部２２に形成する線状凸部２４ａを、白鍵２０の垂直方向に延ばすことにより、白鍵２０の前面部２２の移動方向と、線状凸部２４ａが延びる方向とが略一致するようになり、白鍵２０の移動と凹凸模様２４とが調和のとれたものとなる。この白鍵２０におけるそれ以外の作用効果については、前述した第１実施形態に係る白鍵１０と同様である。
【００２９】
なお、本実施形態においても、線状凸部２４ａに代えて、溝状の線状凹部で凹凸模様を構成することができる。また、凹凸模様を線状凸部２４ａと線状凹部との双方を含む形状にしてもよい。さらに、線状凸部２４ａを僅かに湾曲する曲線に形成してもよい。また、各線状凸部２４ａが白鍵２０の垂直方向に対して傾く方向は、前述した方向と逆方向であってもよい。また、白鍵２０を二色の樹脂材料で成形してもよい。さらに、この凹凸模様２４を形成する鍵は、白鍵２０でなく、黒鍵にしてもよいし、白鍵２０と黒鍵との双方にしてもよい。
【００３０】
（第３実施形態）
図５は、本発明の第３実施形態に係る白鍵３０を示している。この白鍵３０では、上面部３１および一対の側面部３３の表面に、それぞれ柾目調の凹凸模様３４が形成され、前面部３２の表面は平滑面で構成されている。この凹凸模様３４は、図６に示したように、略同じ方向に向かって延びる複数の線状凸部３４ａで構成されている。各線状凸部３４ａはそれぞれ緩やかに湾曲した曲線状に形成されており、線状凸部３４ａの中には、両端が凹凸模様３４内に位置しているもの、一方の端部が凹凸模様３４の縁部に位置しているもの、および両端が凹凸模様３４の縁部に位置しているものが混在している。また、各線状凸部３４ａの両端部の接線間の角度、例えば、図６の中央に位置する線状凸部３４ａでは、それぞれ破線の矢印で示した接線ｅと接線ｆとの角度は、３０度以内になるように設定されている。この白鍵２０のそれ以外の部分の構成については、前述した白鍵１０と同一である。したがって、同一部分に同一符号を記して説明は省略する。
【００３１】
このように、本実施形態に係る白鍵３０では、上面部３１および側面部３３の表面に、複数の線状凸部３４ａからなる凹凸模様３４を形成するとともに、各線状凸部３４ａを、緩やかに湾曲しながら延びその両端部の接線方向の角度の差が３０度以内になるようにしている。このため、白鍵３０の表面により実際の木材の柾目や追い柾目に近い形状の凹凸模様３４を形成することができる。すなわち、木材の柾目や追い柾目には、通常、目曲がりが備わっており、この目曲がりは、僅かな角度で傾斜している。このため、凹凸模様３４を、緩やかに湾曲する複数の線状凸部３４ａで構成するとともに、線状凸部３４ａの両端における法線の角度の差が３０度以内になるようにすることにより、目曲がりの風合いを醸し出すことができ、凹凸模様３４をより柾目や追い柾目の模様に近いものにすることができる。この白鍵３０におけるそれ以外の作用効果は、前述した第１実施形態に係る白鍵１０と同様である。
【００３２】
なお、本実施形態では、上面部３１および一対の側面部３３のすべてに凹凸模様３４を設けているが、これは、上面部３１および一対の側面部３３のいずれか一部に設けてもよい。また、本実施形態では、凹凸模様３４を、複数の線状凸部３４ａで構成しているが、線状凸部３４ａに代えて、溝状の線状凹部で凹凸模様を構成してもよし、線状凸部３４ａと線状凹部とで凹凸模様を構成してもよい。さらに、白鍵３０を二色の樹脂材料で成形してもよい。また、この凹凸模様３４を形成する鍵は、白鍵３０でなく、黒鍵にしてもよいし、白鍵３０と黒鍵との双方にしてもよい。
【００３３】
（第４実施形態）
図７は、本発明の第４実施形態に係る白鍵４０を示している。この白鍵４０では、上面部４１および一対の側面部４３の表面に、それぞれ木目調の凹凸模様４４が形成され、前面部４２の表面は平滑面で構成されている。この凹凸模様４４は、図８に示したように、略同じ方向に向かって延びる複数の線状凸部４４ａと、環状凸部４４ｂと、環状凸部４４ｂ内に形成された複数の小凸部からなる節目模様部４４ｃとで構成されている。複数の線状凸部４４ａは、それぞれ白鍵４０の長手方向に延びており、この複数の線状凸部４４ａで柾目状部が構成される。そして、複数の線状凸部４４ａの長手方向に沿った所定の領域ｇ内に、隣接する線状凸部４４ａの間隔が広くなった広間隔部４５ａが形成されるとともに、広間隔部４５ａの周囲に、隣接する線状凸部４４ａの間隔が狭くなった狭間隔部４５ｂが形成されている。
【００３４】
すなわち、複数の線状凸部４４ａには、略均等の間隔を保った部分と、広間隔部４５ａや狭間隔部４５ｂが形成された部分とがある。複数の線状凸部４４ａにおける略均等の間隔を保った部分の間隔は、０．０３ｍｍ〜２２ｍｍ、好ましくは０．０５ｍｍ〜１２ｍｍ、さらに好ましくは０．０８ｍｍ〜８ｍｍに設定されている。また、広間隔部４５ａの幅は最大部分で２２ｍｍ程度に設定され、狭間隔部４５ｂの幅は最小部分で０．０３ｍｍ程度に設定されている。そして、広間隔部４５ａの内部に、環状部を構成する環状凸部４４ｂが形成されている。この環状凸部４４ｂは、白鍵４０の長手方向に沿った方向に長くなった略楕円形に形成されており、長手方向の長さが０．０６ｍｍ〜８０ｍｍ、好ましくは０．１ｍｍ〜５０ｍｍ、さらに好ましくは０．１６ｍｍ〜２０ｍｍに設定され、長手方向に直交する方向の長さが０．０３ｍｍ〜２２ｍｍ、好ましくは０．０５ｍｍ〜１２ｍｍ、さらに好ましくは０．０８ｍｍ〜８ｍｍに設定されている。
【００３５】
節目模様部４４ｃは、複数の小凸部を所定範囲内に密集させて配置することにより節目模様に形成されている。この節目模様部４４ｃの輪郭部と、環状凸部４４ｂとの間隔は、０．０３ｍｍ〜２２ｍｍ、好ましくは０．０５ｍｍ〜１２ｍｍ、さらに好ましくは０．０８ｍｍ〜８ｍｍに設定されている。また、節目模様部４４ｃを構成する各小凸部の直径は、０．０３ｍｍ〜０．５ｍｍ、好ましくは０．０５ｍｍ〜０．３ｍｍ、さらに好ましくは０．０８ｍｍ〜０．２ｍｍに設定されている。このように、凹凸模様４４を、略同じ方向に延びる複数の線状凸部４４ａと、環状凸部４４ｂと、節目模様部４４ｃとで構成することにより、より木目に近い凹凸模様にすることができる。この白鍵４０のそれ以外の部分の構成については、前述した白鍵１０と同一である。したがって、同一部分に同一符号を記して説明は省略する。
【００３６】
このように、本実施形態に係る白鍵４０では、複数の線状凸部４４ａで柾目や目曲がりの風合いを表現でき、環状凸部４４ｂとその内部に形成された節目模様部４４ｃとで節目の風合いを表現できる。これによると、凹凸模様４４が形成される白鍵４０の上面部４１および一対の側面部４３の表面における各部分を異なる凹凸模様にすることができるため、変化に富む凹凸模様４４を備えた白鍵４０を得ることができる。この白鍵４０におけるそれ以外の作用効果は、前述した第１実施形態に係る白鍵１０と同様である。
【００３７】
なお、前述した実施形態においは、凹凸模様４４を、上面部４１と両側面部４３の表面に設けているが、この凹凸模様４４を前面部４２にも設けることができる。また、凹凸模様４４を、上面部４１、前面部４２および両側面部４３のいずれか一部に設けてもよい。また、本実施形態では、凹凸模様４４を、線状凸部４４ａ、環状凸部４４ｂおよび複数の小凸部からなる節目模様部４４ｃで構成しているが、これらに代えて、溝状の線状凹部、環状凹部および複数の小凹部からなる節目模様部で凹凸模様を構成してもよい。また、線状凸部４４ａ、環状凸部４４ｂおよび複数の小凸部からなる節目模様部４４ｃと、溝状の線状凹部、環状凹部および複数の小凹部からなる節目模様部との双方で凹凸模様を構成してもよい。
【００３８】
さらに、白鍵４０を二色の樹脂材料で成形してもよい。また、この凹凸模様４４を形成する鍵は、白鍵４０でなく、黒鍵にしてもよいし、白鍵４０と黒鍵との双方にしてもよい。さらに、前述した白鍵１０，２０，３０，４０の上面後端には、それぞれ段部１１ｂが形成されているが、この段部１１ｂを設けずに、白鍵１０，２０，３０，４０の上面は前端から後端にかけて連続した平面に形成してもよい。また、白鍵１０，２０，３０，４０の前面部１２，２２，３２，４２は、それぞれ上面部１１，２１，３１，４１の先端縁部よりも後方部分から下方に延びて上面部１１，２１，３１，４１の先端縁部が前面部１２，２２，３２，４２よりも前方に突出しているが、この突出した部分は除去してもよい。
【符号の説明】
【００３９】
１０，２０，３０，４０…白鍵、１１，２１，３１，４１…上面部、１２，２２，３２，４２…前面部、１３，２３，３３，４３…側面部、１４，２４，３４，４４…凹凸模様、１４ａ，２４ａ，３４ａ，４４ａ…線状凸部、４４ｂ…環状凸部、４４ｃ…節目模様部、４５ａ…広間隔部、４５ｂ…狭間隔部。
【図１】
0005796698.tif 000002
【図２】
0005796698.tif 000003
【図３】
0005796698.tif 000004
【図４】
0005796698.tif 000005
【図５】
0005796698.tif 000006
【図６】
0005796698.tif 000007
【図７】
0005796698.tif 000008
【図８】
0005796698.tif 000009